(57)【要約】　　　（修正有）【課題】凍結路面で安全に歩行出来るよう、自分に合った利き手、寸法で、手元の操作により、先端の針が出たり、又針をゴムキャップ内に収納して使用出来るようにする。【解決の手段】先端にすべり止め用の針を有する杖において、胴部２３を２分割とし、取手側パイプ１８に先端側パイプ１６を挿入して、バネ１４に連動した釦１５を、１段〜５段の調整穴で杖の長さを調整し、胴部調整後の固定金具１７で固定する。中心軸は、手元の操作棒１１と取手側軸棒３に嵌合する調整部材６と、これに接合した軸心でスプリング１２を軸方向スライド自在に嵌合する先端側軸棒２と、先端針１を接合する接合部材４とから構成される。操作は、手元の操作棒１１を下方に押し、Ｌ形溝でロックさせると、先端針１が突出される、次に操作棒１１を指で僅か移動させるとスプリング１２の圧力でロックが解除され先端針１がゴムクッション１３内に収納される。【選択図】　図３
2004057765.tif 000002
【特許請求の範囲】
【請求項１】
先端にすべり止め用の針を有する杖において、胴部２３を２分割とし、取手側パイプ１８と取手側パイプ１８よりも径を小さくした先端側パイプ１６で伸縮可能とし、取手側パイプ１８と先端側パイプ１６を、調整穴２１と釦１５で、固定可能とすると共に、
中心軸棒２２は、針１を接続部材４を介してスプリング１２と先端固定部材５を取付けた先端側軸棒２と、操作棒１１を取付けた取手側軸棒３とを、先端側軸棒２と取手側軸棒３が嵌合する穴を有する調整部材６により嵌合してなり、取手側パイプ１８内には中心軸棒２２と操作棒１１を連結する操作棒取付部材９を具備する。
胴部２３内で、操作棒１１と共に移動する中心軸棒２２を胴部２３の長さに合わせて、中心軸棒２２の長さを、操作棒１１により先端から針１を出し入れ出来る様に、取手側軸棒３を調整部材６にスライドして調整し、ボルト１０アにより固定する杖。
【発明の詳細な説明】
【０００１】
【産業上の利用分野】
本発明は、身体障害者が、北方地域の凍結路面上での歩行又は、冬期車両乗降時等で使用する伸縮式すべり止め杖に関する。
【０００２】
【従来の技術】
従来は杖の先端部にゴムのカバーをかぶせたものか。
杖の下部に鋭角なすべり止め金具（鋭角な針又は、５個のツメを持ったストッパ）を取り付け、使用時は鋭角部を下方に向け使用し、使わない時は鋭角部が上方に向けられているので危険性がある、この切り替えは、立ち止まり杖を持ち上げて操作するので煩雑性があり安定性が損なわれた。
又、杖の長さ調整も同じに、針の長さが簡単に調整出来なかった。
【０００３】
【解決しようとする課題】
凍結した所では、通常の杖ではすべるので、するどいピンが必要となる。
しかし従来の鋭角なすべり止め金具の使用は、切り替えには立ち止まり、杖を持ち上げて操作するため、重度身体障害者には困難でもあった。
冬期の凍結路面とロードヒーティングのレンガ舗装上での歩行、バス乗降時に頻繁に切り替え操作を実施する、又は緊急時にはこれら切り替え操作する事が身体障害者には困難でもあり、煩雑性でもあった。
現在は、杖の長さ調整可能で、かつ針の出し入れが簡単に調整出来るもの、又は利き手に合ったすべり止め杖が課題と成っている。
【０００４】
【課題を解決する為の手段】
上記のような問題点を解決するため本発明は、
外観は、取手側パイプ１８に先端側パイプ１６を挿入して、バネ１４に連動した釦１５を、１段〜５段の調整穴２１で杖の長さを調整し、胴部調整後の固定金具１７で固定する。
中心軸棒２２（図２）は、手元の操作棒１１と取手側軸棒３に嵌合する調整部材６と、これに接合した先端側軸棒２でスプリング１２を軸方向スライド自在に嵌合する接続部材４と先端針１とから構成される。
機能の仕組は、操作棒１１に連結した取手側軸棒３と、調整部材６内で中心軸棒２２長を調整固定するボルト１０アを設け、先端の針１にはゴムクッション１３に出し入れ可能な穴をあけ、接続部材４で結合した先端側軸棒２にスプリング１２を通して調整部材６とボルト１０イで連結させる。
針１の移動は、先端側軸棒２をスプリング１２と先端固定部材５に通し、接続部材４で針１と結合し、接続部材４と針１を軸心移動用パイプ８で被い、軸心移動用パイプ８内で中心軸棒２２の移動を円滑に行う。
中心軸棒２２を胴部２３に入れ、操作棒１１を取手側軸棒３に取付けと共に、針１と先端側軸棒２を接続部材４で結合し、軸心移動パイプ８を挿入して、先端固定部材５でスプリング１２と共に受け止め、ゴムクッション１３（貫通穴空き）を被せて固定する
操作は、手元の操作棒１１を下方に押し、Ｌ形溝２０の位置２５でロックさせると、先端針１が突出される、次に操作棒１１を指で僅か移動させると、スプリング１２の圧力にて操作棒１１のＬ形溝２０の位置２４でロックが解除され、先端針１がゴムクッション１３（貫通穴空き）内に収納されることを特徴としている。
利き手に合った握り部分は、取手側パイプ１８＋Ｌ形溝２０＋取手１９を交換して使用する。
【０００５】
【作用】
ゴムクッション１３（貫通穴空き）は、針１がスムースに移動できる穴をあけて使用させる。
胴部２３の長さ調整は、外側は取手側パイプ１８に先端側パイプ１６を挿入し、取手側パイプ１８内のバネ１４に連動した釦１５を、１段〜５段の調整穴２１で杖の長さを調整し、胴部調整後の固定金具１７で胴部２３を固定する。
針１の長さ調整は、ゴムクッション１３（貫通穴空き）を外し、操作棒１１と軸心移動用パイプ８を取り除き、中心軸棒２２（取手側軸棒３＋調整部材６＋先端側軸棒２＋接続部材４＋針１）を抜いて、ボルト１０アを緩めて、調整部材６内で取手側軸棒３を胴部長に合わせて定めた位置で、ボルト１０アを締めた後、中心軸棒２２（取手側軸棒３＋調整部材６＋先端側軸棒２＋接続部材４＋針１）を胴部２３内に収納し、操作棒１１を取手側軸棒３にねじ込み固定し、
針１と、スプリング１２と先端固定部材５を被せた先端側軸棒２を接続部材４で結合させ、軸心移動パイプ８を先端固定部材５の下方に嵌めゴムクッション１３（貫通穴空き）で固定する。
使用時の手元操作で針１を出す時は、操作棒１１を下方に押しＬ形溝２０の２５の位置に置くと、ロックされ針１先部分が突出し、手動操作のみで簡単迅速にすべり止め杖として使用できる。
使用しない時の手元操作で針１を引っ込める時は、操作棒１１を指で僅か移動させると、スプリング１２の圧力でＬ形溝２０の２４の位置に操作棒１１がきて、ロックが解かれ、針１の先端部が凹みゴムクッション１３（貫通穴空き）内に収納される。
すべり止めが不要な時期は、ゴムクッション１３（貫通穴空き）を外し、操作棒１１と軸心移動用パイプ８を取り除き、取手側軸棒３＋調整部材６＋先端側軸棒２＋接続部材４＋針１の中心軸棒２２を抜き出して、軽量化して使用できる。
【０００６】
【実施例】
以下、図示する実施例につき記述すると、外観は取手側パイプ１８に胴部調整後の固定金具１７を介して内側へ、先端側パイプ１６に嵌合するゴムクッション１３（貫通穴空き）とから成っている。
【０００７】
中心軸棒２２（図２）は、操作棒１１を取付けた取手側軸棒３と中心軸棒２２の長さ調整部材６及び、先端側軸棒２と針１を嵌合する接続部材４とから構成される。
【０００８】
各固定部材について説明すると
接続部材４は、先端軸棒２と針１を繋ぐもので、軸心移動パイプ８内を移動可能とする意味からも、軸心移動パイプ８内に収まり移動可能な部材が望ましい。先端固定部材５は、スプリング１２の下部で先端側軸棒２に被せ、軸心移動用パイプ８に支えられると共に、空洞を設けて先端側軸棒２の振れ止めを行う意味からも、又先端側パイプ１６内に収まり移動可能な部材の挿入が望ましい。
終端部材７は、先端側パイプ１６の上部に嵌めるのと、又空洞を設けて取手側軸棒３の振れ止めを行う意味からも嵌めこむことが望ましい。
操作棒取付部材９は、中心部に取手側軸棒３よりも僅か径の大きな穴、もしくは貫通穴を設け、取手側軸棒３を挿入するのと、操作棒１１を取手側軸棒３に固定するための穴をあけ、操作棒１１を取手側軸棒３に固定するために挿入する。
【０００９】
杖の組み立て及び長さ調整は、予め取手側パイプ１８に操作棒取付部材９を挿入させ、又先端側パイプ１６に終端部材７を嵌め込んで置く。
取手側パイプ１８には１段〜５段位までの、杖の長さ調整穴２１を空けたものに、先端側パイプ１６を挿入し、取手側パイプ１８にバネ１４と釦１５により、杖を使用者に合わせて調整すると共に、望ましくは胴部調整後の固定金具１７で胴部２３を固定する。
【００１０】
中心軸の組み立て及び長さ調整は、調整部材６に先端側軸棒２と針１を接続部材４で結合し、先端固定部材５とスプリング１２を通した先端側軸棒２を調整部材６のボルト１０イで固定し、調整部材６のもう一方には、操作棒１１を取手側軸棒３に挿入し、調整部材６には予め胴部調整用穴２１に合した印を付けて置き、胴部２３の長さに合った位置で、ボルト１０アにて固定する。
杖の組み立ては、中心軸棒２２（取手側軸棒３＋調整部材６＋スプリング１２と先端固定部材５を通した先端側軸棒２＋接続部材４＋針１）を胴部２３に取手側から挿入していき、取手側パイプ１８内の操作棒取付部材９において、取手側軸棒３に操作棒１１をネジ込んて固定する、先端側パイプ１６の下部は軸心移動パイプ８をかぶせ、ゴムクッション１３を先端側パイプ１６に被せて固定し、杖全体ができる。
【００１１】
ロック機構としては、取手側パイプ１８に
【図４】のＬ形溝２０を切り込み、先端は僅かな傾斜を持たせて、操作棒１１でにスプリング１２の圧力によるロッ
クされる方式が望ましい。（
【図５】Ｌ形溝２０の２５の位置）
【００１２】
操作は、手元の操作棒１１を先端側に押しＬ形溝２０の位置２５でロックさせると、先端針１が突出される、次に操作棒１１を指で僅か移動させると操作棒１１がスプリング１２の圧力でロックが解除され、Ｌ形溝２０の位置２４に移動し、針１がゴムクッション１３に収納される。
【００１３】
利き手により、ロック位置を交換する場合にも、取手側パイプ１８と取手１９を交換する事により、対応できる。
【００１４】
【発明の効果】
本発明は、身長に合わせて全体の長さを調整でき、同じく針の長さも容易に調整が出来るので、使い易い杖である。
凍結路面の歩行又は、混雑車両乗降時の頻繁に変る状況に対し、手元でピンの出し入れを簡便に操作出来る事により、操作の容易性、及び即応性、安全性が増す。
杖にたよる身体障害者が、杖を握り助けられながらの指操作で、杖と身体の一体性が増し、歩行の安定性が増す。
操作機構が胴部内に殆ど包括され、普通杖と変わらず、美観性が損なわない。
【図面の簡単な説明】
【図１】本考案の外側全体図である。
【図２】中心軸棒２２（操作棒１１＋取手側軸棒３＋調整部材６＋スプリング１２と先端固定部材５を通した先端側軸棒２＋接続部材４＋針１）図である。
【図３】針が出ていない状態で内部が収容された断面拡大図である。
【図４】取手１９、及び取手側パイプ１８に削られたＬ形溝２０と、針１を出し入れした時の、操作棒１１の位置を示す図である
【図５】Ｌ形溝２０の拡大図である。
【図６】先端側軸棒２をスプリング１２と先端固定部材５に通し、接続部材４で針１と結合させ先端固定部材５を軸心移動パイプ８を挿入して支え、先端側パイプ１６に、ゴムクッション１３を被せ、操作棒１１で針１を出した時の拡大図である。
【符号の説明】
１：針・先端突出部
２：先端側軸棒・調整部材６と接続部材５の間でスプリングの動作に使う軸心
３：取手側軸棒・針１の出し入れ用に使う軸芯
４：接続部材・先端側軸棒２と針１のジョイント用で軸心移動用パイプ８内移動可能とした
５：先端固定部材・部材の中心に穴を空け、先端側軸棒２を中心に保持させ、スプリング１２と軸心移動用パイプ８を支える部材
６：調整部材・空洞化部材で、中心軸棒２２の長さを調整する
７：終端部材・部材の中心に穴を空け、取手側軸棒３を中心に保持させ、先端側パイプ１６に挿入固定する部材
８：軸心移動用パイプ・操作棒１１の操作により針１を軸心移動用パイプ８内で移動させ、針１を出し入れさせる
９：操作棒取付部材・部材で操作棒１１が通る穴を空け、取手側軸棒３が中心に挿入され、取手側パイプ１８内移動可能とした。
１０ア：ボルト・杖の長さに対する、軸棒長さの調整
１０イ：ボルト・先端側軸棒２の固定用
１１：操作棒・操作棒取付部材９を通して、取手側軸棒３にネジ込み固定し、針１の出し入れする操作棒
１２：スプリング・針の出し入れ用
１３：ゴムクッション（貫通穴空き）
１４：バネ・胴部長の調整用で釦１５ストッパー用バネ
１５：釦・杖の胴部を調整するロック釦
１６：先端側パイプ
１７：胴部調整後の固定金具
１８：取手側パイプ
１９：取手・握り部分
２０：Ｌ形溝
２１：調整穴・１段〜５段
２２：中心軸棒・（取手側軸棒３＋調整部材６＋先端側軸棒２＋接続部材４＋針１）
２３：胴部・取手側パイプ１８＋先端側パイプ１６
２４：針１を引込めた状態の操作棒４の位置
２５：針１を出した状態の操作棒４の位置
【図１】
2004057765.tif 000003
【図２】
2004057765.tif 000004
【図３】
2004057765.tif 000005
【図４】
2004057765.tif 000006
【図５】
2004057765.tif 000007
【図６】
2004057765.tif 000008